(57)【要約】  【課題】  比較的大形の表示装置であっても簡易に転倒防止体を取着することができ、しかも、比較的狭いスペースに配置することができるとともに、空洞の開放縁を比較的小さくすることができるようにする。  【解決手段】  前側に画像表示面を有する表示部１と、該表示部１を起立状態で支持するスタンド２とを備え、外部に開放され且つ取着部２１ｃを有する空洞２３、及び該空洞２３内の取着部２１ｃに水平方向への挿脱を可能に取着され、表示部１の転倒を防ぐための転倒防止体３をスタンド２に設け、空洞２３の開放縁に臨む摘み部３２を転倒防止体３に設け、摘み部３２を指先で摘むことにより転倒防止体３を空洞２３から引出すことができるようにした。【選択図】      図１
2007086647.tif 000002
【特許請求の範囲】
【請求項１】
前側に画像表示面を有する表示部と、該表示部を起立状態で支持するスタンドとを備えた表示装置において、前記スタンドは、外部に開放された空洞と、該空洞内に配された取着部と、前記空洞内で前記取着部に横方向への挿脱を可能に取着され、前記表示部の転倒を防ぐための転倒防止体とを備えることを特徴とする表示装置。
【請求項２】
前記転倒防止体は、前記取着部が挿嵌された長孔と、前記空洞の開放縁に臨む摘み部とを有し、前記取着部に移動を可能に取着してある請求項１記載の表示装置。
【請求項３】
前記転倒防止体は、前記空洞の開放縁に臨む摘み部を有し、前記取着部に回転を可能に取着してある請求項１記載の表示装置。
【発明の詳細な説明】
【技術分野】
【０００１】
本発明は液晶表示装置、プラズマ表示装置等の表示装置に関する。
【背景技術】
【０００２】
テレビ等の表示装置は、前側に画像表示面を有する表示部と、該表示部を起立状態で支持するスタンドとを備える。このようにスタンドが表示部を起立状態で支持する表示装置にあっては、地震による転倒を防ぐための転倒防止具が付属品として梱包時に添付されている。この転倒防止具は、紐体の両端部が係止される一対のクランプ及び該クランプを表示部に取付ける二つの小ねじと、並設された貫通孔を有するバンド体及び該バンド体をスタンドの底面に取着する小ねじとを備え、表示装置が配置される場所に応じてクランプ又はバンド体を選択することができるように構成されている。例えば、表示装置が壁面の近傍に配置される場合、クランプにより紐体の両端を表示部に固定し、該紐体の中途を係止すべき市販のフック螺子を壁面にねじ込むことにより表示装置の転倒を防ぎ、また、表示装置が載置台に載置される場合、バンド体の一端を小ねじによりスタンドに固定し、バンド体の他側を市販の小ねじにより載置台に固定し、表示装置の転倒を防ぐ。
【０００３】
また、地震による転倒を防ぐように構成された表示装置として、筺体を有する表示部の筺体に水平軸により上下に回動可能に枢支された補助足と、該補助足を格納する空洞とを備え、該空洞から補助足を引き出し、該補助足の先端を床面に当接させることにより、表示装置の転倒を防ぐように構成された表示装置が知られている（例えば、特許文献１参照）。
【特許文献１】実開平２−１２６４７８号公報
【発明の開示】
【発明が解決しようとする課題】
【０００４】
ところが、クランプ及びバンド体等の転倒防止具が付属品として添付されている表示装置にあっては、全体の梱包時に転倒防止具の添付忘れを来すことがあり、また、クランプを用いる場合はユーザーが紐体及びフックねじを別途容易する必要があり、また、バンド体を用いる場合は、表示部を転倒させた状態でスタンドの底面にバンド体を固定する必要があるため、表示装置が比較的大形である場合、一人の作業者では対応することができず、複数の作業者により表示装置を転倒／起立させる必要があり、改善策が要望されていた。
【０００５】
また、特許文献１にあっては補助足が上下に回転され、補助足の回転路が比較的広くなるため、表示装置の近傍に他の物品を置くことができず、比較的広いスペースを必要とし、また、長手方向が上下となる空洞が表示部に設けられ、該空洞が比較的大きく外部に開放されるため、外観が見苦しくなると言う問題があった。
【０００６】
本発明は斯かる事情に鑑みてなされたものであり、主たる目的は表示部を起立状態で支持するスタンドに、外部に開放された空洞と、該空洞内に配された取着部と、空洞内で取着部に横方向への挿脱を可能に取着された転倒防止体とを設けることにより、比較的大形の表示装置であっても簡易に転倒防止の体制にすることができ、しかも、比較的狭いスペースに配置することができるとともに、空洞の開放縁を比較的小さくすることができる表示装置を提供することにある。
【０００７】
また、他の目的は取着部が挿嵌された長孔と、空洞の開放縁に臨む摘み部とを転倒防止体が有し、該転倒防止体を取着部に移動を可能に取着することにより、転倒防止体を外部に容易に引出すことができ、転倒防止体を載置台等に簡易に取着できる表示装置を提供することにある。
【０００８】
また、他の目的は空洞の開放縁に臨む摘み部を転倒防止体が有し、該転倒防止体を取着部に回転を可能に取着することにより、転倒防止体を外部に容易に引出すことができ、転倒防止体を載置台等に簡易に取着できる表示装置を提供することにある。
【課題を解決するための手段】
【０００９】
本発明に係る表示装置は、前側に画像表示面を有する表示部と、該表示部を起立状態で支持するスタンドとを備えた表示装置において、前記スタンドは、外部に開放された空洞と、該空洞内に配された取着部と、前記空洞内で前記取着部に横方向への挿脱を可能に取着され、前記表示部の転倒を防ぐための転倒防止体とを備えることを特徴とする。
【００１０】
この発明にあっては、スタンドの空洞に転倒防止体が取着されているため、梱包時の添付忘れをなくすることができ、また、空洞内の転倒防止体を水平方向に引出すことにより転倒を防止することができるため、比較的大形の表示装置であっても簡易に転倒防止の体制にすることができ、しかも、転倒防止体は水平的に抜出すことができるため、比較的狭いスペースに配置することができる。また、転倒防止体は水平方向への挿脱を可能にしてあるため、空洞の開放縁を比較的小さくでき、表示部の外観を簡素にできる。
【００１１】
また、本発明に係る表示装置は、前記転倒防止体は、前記取着部が挿嵌された長孔と、前記空洞の開放縁に臨む摘み部とを有し、前記取着部に移動を可能に取着してあることを特徴とする。
【００１２】
この発明にあっては、空洞の開放縁に臨む摘み部を摘むことにより転倒防止体を空洞内で移動させつつ外部に容易に引出すことができるため、転倒防止体を載置台等に簡易に取着できる。
【００１３】
また、本発明に係る表示装置は、前記転倒防止体は、前記空洞の開放縁に臨む摘み部を有し、前記取着部に回転を可能に取着してあることを特徴とする。
【００１４】
この発明にあっては、空洞の開放縁に臨む摘み部を摘むことにより転倒防止体を空洞内で回転させつつ外部に容易に引出すことができるため、転倒防止体を載置台等に簡易に取着できる。
【発明の効果】
【００１５】
以上詳述したように本発明によれば、比較的大形の表示装置であっても簡易に転倒防止の体制にすることができ、しかも、比較的狭いスペースに配置することができる。また、空洞の開放縁を比較的小さくでき、表示部の外観を簡素にできる。
【００１６】
また、本発明によれば、空洞の開放縁に臨む摘み部を摘むことにより転倒防止体を外部に容易に引出すことができ、転倒防止体を載置台等に簡易に取着できる。
【発明を実施するための最良の形態】
【００１７】
以下本発明をその実施の形態を示す図面に基づいて詳述する。
実施の形態１
図１は本発明に係る表示装置の実施の形態１の構成を示す背面側の斜視図、図２は要部の底面側斜視図、図３は転倒防止体を引出した状態を示す説明図である。
【００１８】
図示した表示装置はテレビ画像を表示し、略直方体をなす表示部１と、該表示部１の下側に配置され、表示部１を起立状態で支持するスタンド２と、該スタンド２の底部に取着され、表示部１の転倒を防ぐための転倒防止体３とを備える液晶テレビである。
【００１９】
表示部１は前側に画像表示面を有する液晶のパネルと、該パネルの後側に配置された光学シートと、拡散板と、バックライト部と、電源基板等のテレビ基板と、これらパネル等の部品を収容した筺体１１とを備えており、筺体１１の後面下部で、且つ長手方向中央部にスタンド２が取着されている。
【００２０】
スタンド２は載置台等に載置されるベース部２１及び該ベース部２１の中央に立設された脚部２２を有し、該脚部２２の上端部が表示部１の後側に取着されている。
【００２１】
ベース部２１は表示部１の起立時に水平面となる底面２１ａ、及びベース部２１の外縁部２１ｂに開放された略長孔状の空洞２３を有する。空洞２３は表示部１の前後方向に長くなっており、該空洞２３内の長手方向後端部に取着部２１ｃが設けられている。取着部２１ｃは、空洞２３内に明けられた嵌入孔及び該嵌入孔に嵌入されたリベット等の軸部２１ｄを有する。また、ベース部２１は上壁及び該上壁の周縁に連なる周壁を有する逆皿形のベース部本体と、該ベース部本体の開放部を閉塞した蓋板とを備える構成としてあるが、その他、一体成形された構成としてもよい。
【００２２】
転倒防止体３は合成樹脂板、金属板等のバンド部材からなり、軸部２１ｄが相対移動を可能に嵌入される長孔３１及び空洞２３の開放縁に臨む摘み部３２を有しており、該摘み部３２が空洞２３の開放縁から若干外部に突出した状態で空洞２３に格納されている。図示した転倒防止体３は合成樹脂製であり、長孔３１は長手方向両端部を軸部２１ｄに対応した大きさとし、中途を軸部２１ｄより若干小さい幅とし、移動時には軸部２１ｄにより長孔の中途が弾性変形するように構成されている。
【００２３】
以上のように構成された表示装置は、スタンド２の底部に転倒防止体３が取着されているため、転倒を防止する部材の添付忘れがない。表示部１の転倒を防止する場合、スタンド２により表示部１が起立状態にあるとき、スタンド２底部の空洞２３の開放縁に臨む摘み部３２を指先で摘み、表示部１の後方へ引張ることにより転倒防止体３を空洞２３から図３のように引出すことができ、この抜き出した転倒防止体３の先端部の長孔３１に小ねじを挿通し、該小ねじを載置台に緊締することにより転倒防止体３を載置台に固定することができ、表示部１の地震による転倒を防ぐことができる。
【００２４】
実施の形態２
図４は本発明に係る表示装置の実施の形態２の構成を示す要部の底面側斜視図、図５は転倒防止体を引出した状態を示す説明図である。この表示装置は、ベース部２１の底部の両側に取着部２１ｃ，２１ｃを有する空洞２３，２３を設け、夫々の空洞２３，２３に転倒防止体３，３を前後方向に移動を可能に格納したものである。
【００２５】
二つの転倒防止体３は長孔３１に軸部２１ｄが嵌入され、摘み部３２が空洞２３開放縁から若干外部に突出した状態で空洞２３に格納されている。
【００２６】
実施の形態２の表示装置にあっては、スタンド２の両側に設けられた転倒防止体３，３の摘み部３２，３２を指先で摘み、表示部１の後方へ引張ることにより転倒防止体３，３を空洞２３から引出すことができ、この抜き出した転倒防止体３，３の先端部の長孔３１に小ねじを挿通し、該小ねじを載置台に緊締することにより転倒防止体３，３を載置台に固定することができ、表示部１の転倒をスタンド２の両側で防ぐことができるため、地震による転倒をより一層防ぐことができる。
【００２７】
実施の形態３
図６は本発明に係る表示装置の実施の形態３の構成を示す要部の底面側斜視図、図７は要部の背面図、図８は転倒防止体を引出した状態を示す説明図である。
【００２８】
この表示装置は、ベース部２１の底部の後側に取着部２１ｃを有する空洞２３を設け、該空洞２３に転倒防止体３を回転を可能に格納したものである。
【００２９】
空洞２３はベース部２１の底面２１ａに沿って水平的に設けられており、転倒防止体３の長さに対応した長さに形成されている。この空洞２３の長手方向一端部には小ねじ等の軸部２１ｄを有する取着部２１ｃが設けられている。
【００３０】
転倒防止体３は、合成樹脂板、金属板等のバンド部材からなり、取着部２１ｃが嵌入される枢支孔３３と、並設された固定用の貫通孔３４と、摘み部３２とを有する。
【００３１】
実施の形態３の表示装置にあっては、スタンド２の後側に設けられた転倒防止体３の摘み部３２を指先で摘み、水平方向に回転させることにより転倒防止体３を空洞２３から引出すことができ、この抜き出した転倒防止体３の先側の貫通孔に小ねじを挿通し、該小ねじを載置台に緊締することにより転倒防止体３を載置台に固定することができ、表示部１の転倒を防ぐことができるため、地震による転倒をより一層防ぐことができる。
【００３２】
尚、本発明に係る表示装置は液晶テレビ等の液晶表示装置である他、プラズマ表示装置、ＥＬディスプレイ等の表示装置であってもよい。
【図面の簡単な説明】
【００３３】
【図１】本発明に係る表示装置の実施の形態１の構成を示す背面側の斜視図である。
【図２】本発明に係る表示装置の要部の底面側斜視図である。
【図３】本発明に係る表示装置の転倒防止体を引出した状態を示す説明図である。
【図４】本発明に係る表示装置の実施の形態２の構成を示す要部の底面側斜視図である。
【図５】本発明に係る表示装置の転倒防止体を引出した状態を示す説明図である。
【図６】本発明に係る表示装置の実施の形態３の構成を示す要部の底面側斜視図である。
【図７】本発明に係る表示装置の要部の背面図である。
【図８】本発明に係る表示装置の転倒防止体を引出した状態を示す説明図である。
【符号の説明】
【００３４】
１    表示部
２    スタンド
２１ｃ  取着部
２３  空洞
３    転倒防止体
３１  長孔
３２  摘み部
【図１】
2007086647.tif 000003
【図２】
2007086647.tif 000004
【図３】
2007086647.tif 000005
【図４】
2007086647.tif 000006
【図５】
2007086647.tif 000007
【図６】
2007086647.tif 000008
【図７】
2007086647.tif 000009
【図８】
2007086647.tif 000010